(57)【要約】【課題】許可されたユーザのみが光ディスクに記録されているコンテンツにアクセスできることを可能とする。【解決手段】読取専用領域に記録されているコンテンツが存在しないように見せかけて製造された光ディスクに対して、上位装置からリードアウト開始アドレスを含む領域変更コマンドを受信すると、その領域変更コマンドが正規のユーザによって発行されたものであれば（ステップ４０１）、光ディスクに記録されているＴＬＯの属性をデータに変更して無効とする（ステップ４０５）とともに、読取専用領域に続く領域に新たなＴＬＯを記録し（ステップ４１１）、リードイン領域に記録されているＬＷＡを、新たなＴＬＯの直前のアドレスに書き換える（ステップ４１３）。これにより、読取専用領域がアクセス可能領域となり、許可されたユーザのみが読取専用領域に記録されているコンテンツにアクセスすることが可能となる。【選択図】図１１
2006079763.tif 000002
【特許請求の範囲】
【請求項１】
光ディスクのデータ領域に記録されているコンテンツを保護するための処理方法であって、
前記コンテンツの前方に、前記データ領域における既記録領域の終了位置を一時的に設定し、ドライブ装置に対して前記コンテンツが存在しないように見せかける工程を含む処理方法。
【請求項２】
前記終了位置の変更要求に応じて、前記終了位置を前記コンテンツの後方の位置に変更し、ドライブ装置に対して前記コンテンツの存在を明らかにする工程を、更に含むことを特徴とする請求項１に記載の処理方法。
【請求項３】
前記変更後の新たな終了位置までに記録されているファイルのファイル管理情報を作成する工程を、更に含むことを特徴とする請求項２に記載の処理方法。
【請求項４】
前記作成する工程で作成されたファイル管理情報を前記データ領域に記録する工程を、更に含むことを特徴とする請求項３に記載の処理方法。
【請求項５】
前記光ディスクは、読取専用の領域と記録可能な領域とを有し、
前記コンテンツが記録される領域は前記読取専用の領域であることを特徴とする請求項１〜４のいずれか一項に記載の処理方法。
【請求項６】
前記記録可能な領域は、記録内容の書き換えが可能な領域であることを特徴とする請求項５に記載の処理方法。
【請求項７】
データ領域におけるアクセスが可能な領域が制限され、前記データ領域におけるコンテンツが記録されている領域が前記アクセスが可能な領域に含まれていない光ディスクに対応可能な光ディスク装置であって、
変更要求に応じて、前記コンテンツが記録されている領域へのアクセスが可能となるように、前記アクセスが可能な領域を変更する制御装置と；
前記コンテンツの再生処理を行う処理装置と；を備える光ディスク装置。
【請求項８】
前記制御装置は、更に前記変更後の新たなアクセスが可能な領域内に記録されているファイルのファイル管理情報を作成し、前記データ領域に記録することを特徴とする請求項７に記載の光ディスク装置。
【請求項９】
前記制御装置は、更に前記変更後の新たなアクセスが可能な領域内にリードアウトが記録されているときに、該リードアウトを無効とすることを特徴とする請求項７又は８に記載の光ディスク装置。
【請求項１０】
前記制御装置は、前記リードアウトの属性をデータに変更することによって、前記リードアウトを無効とすることを特徴とする請求項９に記載の光ディスク装置。
【請求項１１】
前記変更要求は、前記コンテンツが記録されている領域以降のアドレスが指定アドレスとして付加された変更要求であり、
前記制御装置は、前記指定アドレスに応じて前記アクセスが可能な領域を変更することを特徴とする請求項７〜１０のいずれか一項に記載の光ディスク装置。
【請求項１２】
前記指定アドレスは、リードアウトが記録される領域の先頭アドレスであり、
前記制御装置は、前記アクセスが可能な領域の終了アドレスを前記指定アドレスの直前のアドレスに変更することを特徴とする請求項１１に記載の光ディスク装置。
【請求項１３】
前記制御装置は、更に前記光ディスクが排出される際に、前記変更後のアクセスが可能な領域を変更前のアクセスが可能な領域に戻すことを特徴とする請求項７〜１２のいずれか一項に記載の光ディスク装置。
【請求項１４】
データ領域におけるアクセスが可能な領域が制限され、前記データ領域におけるコンテンツが記録されている領域が前記アクセスが可能な領域に含まれていない光ディスクに対応可能な光ディスク装置に用いられるプログラムであって、
前記コンテンツが記録されている領域へのアクセスが可能となるように、前記アクセスが可能な領域を変更する手順を、前記光ディスク装置の制御用コンピュータに実行させるプログラム。
【請求項１５】
前記変更後の新たなアクセスが可能な領域内に記録されているファイルのファイル管理情報を作成する手順を、前記制御用コンピュータに更に実行させることを特徴とする請求項１４に記載のプログラム。
【請求項１６】
前記作成する手順で作成されたファイル管理情報を前記データ領域に記録する手順を、前記制御用コンピュータに更に実行させることを特徴とする請求項１５に記載のプログラム。
【請求項１７】
前記変更後の新たなアクセスが可能な領域内にリードアウトが記録されているときに、該リードアウトを無効とする手順を、前記制御用コンピュータに更に実行させることを特徴とする請求項１４〜１６のいずれか一項に記載のプログラム。
【請求項１８】
前記無効とする手順として、前記リードアウトの属性をデータに変更する手順を、前記制御用コンピュータに実行させることを特徴とする請求項１７に記載のプログラム。
【請求項１９】
前記光ディスクが排出される際に、前記変更後のアクセスが可能な領域を変更前のアクセスが可能な領域に戻す手順を、前記制御用コンピュータに更に実行させることを特徴とする請求項１４〜１８のいずれか一項に記載のプログラム。
【請求項２０】
前記変更する手順として、予め受信されている変更要求に基づいて前記アクセスが可能な領域を変更する手順を、前記制御用コンピュータに実行させることを特徴とする請求項１４〜１９のいずれか一項に記載のプログラム。
【請求項２１】
前記変更要求は、前記コンテンツが記録されている領域以降のアドレスが指定アドレスとして付加された変更要求であり、
前記変更する手順として、前記指定アドレスに応じて前記アクセスが可能な領域を変更する手順を、前記制御用コンピュータに実行させることを特徴とする請求項２０に記載のプログラム。
【請求項２２】
前記指定アドレスは、リードアウトが記録される領域の先頭アドレスであり、
前記変更する手順として、前記アクセスが可能な領域の終了アドレスを前記指定アドレスの直前のアドレスに変更する手順を、前記制御用コンピュータに実行させることを特徴とする請求項２１に記載のプログラム。
【請求項２３】
請求項１４〜２２のいずれか一項に記載のプログラムが記録されたコンピュータ読み取り可能な記録媒体。
【発明の詳細な説明】
【技術分野】
【０００１】
本発明は、処理方法、光ディスク装置、プログラム及び記録媒体に係り、更に詳しくは、光ディスクに記録されているコンテンツを保護するための処理方法、データ領域におけるアクセスが可能な領域が制限されている光ディスクに対応可能な光ディスク装置、該光ディスク装置に用いられるプログラム及び該プログラムが記録された記録媒体に関する。
【背景技術】
【０００２】
近年、デジタル技術の進歩及びデータ圧縮技術の向上に伴い、プログラム（コンピュータ用のプログラム）、音楽、映画及び写真などの情報（以下「コンテンツ」ともいう）を記録するための情報記録媒体として、ＣＤ（compact disc）やＤＶＤ（digital versatile disc）などの光ディスクが注目されるようになり、その低価格化とともに、光ディスクにアクセスするための装置として光ディスク装置が普及するようになった。なお、情報記録媒体にアクセスするための装置は、総称して「ドライブ装置」とも呼ばれている。
【０００３】
ＣＤ−Ｒ（ＣＤ−recordable）及びＣＤ−ＲＷ（ＣＤ−rewritable）の規格書である、いわゆるオレンジブック（Orange Book）によると、１枚のディスク内に読取専用の領域と記録可能な領域とが混在することが認められている。このような光ディスクは、ハイブリッドディスクとも呼ばれている。そして、コンテンツをハイブリッドディスクの読取専用の領域に記録した状態で配布あるいは販売することが提案されている（例えば、特許文献１〜特許文献３参照）。
【０００４】
また、ＣＤに比べて記録容量の大きなＤＶＤにおいても、読取専用の領域と記録可能な領域とが混在するハイブリッド化が検討されている（例えば、特許文献４参照）。例えば、ＤＶＤ＋ＲＷ（ＤＶＤ＋rewritable）の場合には、前記記録可能な領域は書き換え可能な領域となる。ところで、ＤＶＤ＋ＲＷの規格によると、既記録領域と未記録領域とがデータ領域内に混在していると、ＤＶＤ−ＲＯＭとの互換性が損なわれるため、このような場合には、一例として図２０に示されるように、既記録領域の終端にテンポラリ・リードアウト（Temporary Lead Out、以下「ＴＬＯ」ともいう）を付加するようになっている。これにより、データ領域内に未記録領域があっても、ＤＶＤ−ＲＯＭ用のドライブ装置でＤＶＤ＋ＲＷの既記録領域を再生することができる。すなわち、データ領域の先頭からＴＬＯまでの領域がアクセスが可能な領域となる。
【０００５】
なお、ＤＶＤ＋Ｒにおいても、ＤＶＤ−ＲＯＭとの互換性を確保するための種々の工夫が考案されている（例えば、特許文献５参照）。
【０００６】
ＤＶＤのハイブリッドディスクでは、ＣＤよりも多くのコンテンツ、大きなコンテンツを記録することができるため、ＣＤのハイブリッドディスクに比べて価値が高い（価格が高い）コンテンツが記録されることが予想される。そこで、将来、ＤＶＤのハイブリッドディスクを商品化するに際しては、コンテンツを不正アクセスから保護することが不可欠である。
【０００７】
【特許文献１】特開平７−３１９７０９号公報
【特許文献２】特開２０００−１４８５０４号公報
【特許文献３】特開２００１−２７３１８２号公報
【特許文献４】特開２００３−２４９０２２号公報
【特許文献５】特開２００３−３２３７６７号公報
【発明の開示】
【発明が解決しようとする課題】
【０００８】
本発明は、かかる事情の下になされたもので、その第１の目的は、許可されたユーザのみが光ディスクに記録されているコンテンツにアクセスできることを可能とする処理方法を提供することにある。
【０００９】
また、本発明の第２の目的は、許可されたユーザのみが光ディスクに記録されているコンテンツにアクセスすることができる光ディスク装置を提供することにある。
【００１０】
また、本発明の第３の目的は、光ディスク装置の制御用コンピュータにて実行され、許可されたユーザのみが光ディスクに記録されているコンテンツにアクセスできることを可能とするプログラム及び該プログラムが記録された記録媒体を提供することにある。
【課題を解決するための手段】
【００１１】
請求項１に記載の発明は、光ディスクのデータ領域に記録されているコンテンツを保護するための処理方法であって、前記コンテンツの前方に、前記データ領域における既記録領域の終了位置を一時的に設定し、ドライブ装置に対して前記コンテンツが存在しないように見せかける工程を含む処理方法である。
【００１２】
これによれば、光ディスクのデータ領域に記録されているコンテンツの前方に、データ領域における既記録領域の終了位置が一時的に設定され、ドライブ装置に対してコンテンツが存在しないように見せかけられる。そこで、コンテンツへのアクセスが許可されていないユーザに対して、光ディスクにはコンテンツが記録されていないこととすることができる。従って、結果として許可されたユーザのみが光ディスクに記録されているコンテンツにアクセスできることを可能とすることができる。
【００１３】
この場合において、請求項２に記載の処理方法の如く、前記終了位置の変更要求に応じて、前記終了位置を前記コンテンツの後方の位置に変更し、ドライブ装置に対して前記コンテンツの存在を明らかにする工程を、更に含むこととすることができる。
【００１４】
この場合において、請求項３に記載の処理方法の如く、前記変更後の新たな終了位置までに記録されているファイルのファイル管理情報を作成する工程を、更に含むこととすることができる。
【００１５】
この場合において、請求項４に記載の処理方法の如く、前記作成する工程で作成されたファイル管理情報を前記データ領域に記録する工程を、更に含むこととすることができる。
【００１６】
上記請求項１〜４に記載の各処理方法において、請求項５に記載の処理方法の如く、前記光ディスクは、読取専用の領域と記録可能な領域とを有し、前記コンテンツが記録される領域は前記読取専用の領域であることとすることができる。
【００１７】
この場合において、請求項６に記載の処理方法の如く、前記記録可能な領域は、記録内容の書き換えが可能な領域であることとすることができる。
【００１８】
請求項７に記載の発明は、データ領域におけるアクセスが可能な領域が制限され、前記データ領域におけるコンテンツが記録されている領域が前記アクセスが可能な領域に含まれていない光ディスクに対応可能な光ディスク装置であって、変更要求に応じて、前記コンテンツが記録されている領域へのアクセスが可能となるように、前記アクセスが可能な領域を変更する制御装置と；前記コンテンツの再生処理を行う処理装置と；を備える光ディスク装置である。
【００１９】
これによれば、制御装置により、変更要求に応じて、コンテンツが記録されている領域へのアクセスが可能となるように、アクセスが可能な領域が変更される。そこで、コンテンツへのアクセスを許可されたユーザのみが変更要求を発行できるようにすることにより、結果として許可されたユーザのみが光ディスクに記録されているコンテンツにアクセスすることが可能となる。
【００２０】
この場合において、請求項８に記載の光ディスク装置の如く、前記制御装置は、更に前記変更後の新たなアクセスが可能な領域内に記録されているファイルのファイル管理情報を作成し、前記データ領域に記録することとすることができる。
【００２１】
上記請求項７及び８に記載の各光ディスク装置において、請求項９に記載の光ディスク装置の如く、前記制御装置は、更に前記変更後の新たなアクセスが可能な領域内にリードアウトが記録されているときに、該リードアウトを無効とすることとすることができる。
【００２２】
この場合において、請求項１０に記載の光ディスク装置の如く、前記制御装置は、前記リードアウトの属性をデータに変更することによって、前記リードアウトを無効とすることとすることができる。
【００２３】
上記請求項７〜１０に記載の各光ディスク装置において、請求項１１に記載の光ディスク装置の如く、前記変更要求は、前記コンテンツが記録されている領域以降のアドレスが指定アドレスとして付加された変更要求であり、前記制御装置は、前記指定アドレスに応じて前記アクセスが可能な領域を変更することとすることができる。
【００２４】
この場合において、請求項１２に記載の光ディスク装置の如く、前記指定アドレスは、リードアウトが記録される領域の先頭アドレスであり、前記制御装置は、前記アクセスが可能な領域の終了アドレスを前記指定アドレスの直前のアドレスに変更することとすることができる。
【００２５】
上記請求項７〜１２に記載の各光ディスク装置において、請求項１３に記載の光ディスク装置の如く、前記制御装置は、更に前記光ディスクが排出される際に、前記変更後のアクセスが可能な領域を変更前のアクセスが可能な領域に戻すこととすることができる。
【００２６】
請求項１４に記載の発明は、データ領域におけるアクセスが可能な領域が制限され、前記データ領域におけるコンテンツが記録されている領域が前記アクセスが可能な領域に含まれていない光ディスクに対応可能な光ディスク装置に用いられるプログラムであって、前記コンテンツが記録されている領域へのアクセスが可能となるように、前記アクセスが可能な領域を変更する手順を、前記光ディスク装置の制御用コンピュータに実行させるプログラムである。
【００２７】
これによれば、本発明のプログラムが所定のメモリにロードされ、その先頭アドレスがプログラムカウンタにセットされると、光ディスク装置の制御用コンピュータは、コンテンツが記録されている領域へのアクセスが可能となるように、アクセスが可能な領域を変更する。そこで、コンテンツへのアクセスを許可されたユーザのみが、アクセスが可能な領域を変更できるようにすることにより、結果として許可されたユーザのみが光ディスクに記録されているコンテンツにアクセスすることが可能となる。
【００２８】
この場合において、請求項１５に記載のプログラムの如く、前記変更後の新たなアクセスが可能な領域内に記録されているファイルのファイル管理情報を作成する手順を、前記制御用コンピュータに更に実行させることとすることができる。
【００２９】
この場合において、請求項１６に記載のプログラムの如く、前記作成する手順で作成されたファイル管理情報を前記データ領域に記録する手順を、前記制御用コンピュータに更に実行させることとすることができる。
【００３０】
上記請求項１４〜１６に記載の各プログラムにおいて、請求項１７に記載のプログラムの如く、前記変更後の新たなアクセスが可能な領域内にリードアウトが記録されているときに、該リードアウトを無効とする手順を、前記制御用コンピュータに更に実行させることとすることができる。
【００３１】
この場合において、請求項１８に記載のプログラムの如く、前記無効とする手順として、前記リードアウトの属性をデータに変更する手順を、前記制御用コンピュータに実行させることとすることができる。
【００３２】
上記請求項１４〜１８に記載の各プログラムにおいて、請求項１９に記載のプログラムの如く、前記光ディスクが排出される際に、前記変更後のアクセスが可能な領域を変更前のアクセスが可能な領域に戻す手順を、前記制御用コンピュータに更に実行させることとすることができる。
【００３３】
上記請求項１４〜１９に記載の各プログラムにおいて、請求項２０に記載のプログラムの如く、前記変更する手順として、予め受信されている変更要求に基づいて前記アクセスが可能な領域を変更する手順を、前記制御用コンピュータに実行させることとすることができる。
【００３４】
この場合において、請求項２１に記載のプログラムの如く、前記変更要求は、前記コンテンツが記録されている領域以降のアドレスが指定アドレスとして付加された変更要求であり、前記変更する手順として、前記指定アドレスに応じて前記アクセスが可能な領域を変更する手順を、前記制御用コンピュータに実行させることとすることができる。
【００３５】
この場合において、請求項２２に記載のプログラムの如く、前記指定アドレスは、リードアウトが記録される領域の先頭アドレスであり、前記変更する手順として、前記アクセスが可能な領域の終了アドレスを前記指定アドレスの直前のアドレスに変更する手順を、前記制御用コンピュータに実行させることとすることができる。
【００３６】
請求項２３に記載の発明は、請求項１４〜２２のいずれか一項に記載のプログラムが記録されたコンピュータ読み取り可能な記録媒体である。
【００３７】
これによれば、請求項１４〜２２のいずれか一項に記載のプログラムが記録されているために、コンピュータに実行させることにより、結果として許可されたユーザのみが光ディスクに記録されているコンテンツにアクセスできることが可能となる。
【発明を実施するための最良の形態】
【００３８】
以下、本発明の一実施形態を図１〜図１５に基づいて説明する。図１には、本発明の一実施形態に係る光ディスク装置２０の概略構成が示されている。
【００３９】
この図１に示される光ディスク装置２０は、光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。この光ディスク装置２０は、ＤＶＤ系の光ディスクに対応している。
【００４０】
前記光ピックアップ装置２３は、光ディスク１５の記録面にレーザ光を集光するとともに、その記録面からの反射光を受光するための装置である。この光ピックアップ装置２３は、約６６０ｎｍの波長のレーザ光を出射する半導体レーザ、対物レンズを含み前記半導体レーザから出射された光束を光ディスク１５の記録面に導くとともに、前記記録面で反射された戻り光束を所定の受光位置まで導く光学系、前記受光位置に配置され前記戻り光束を受光する受光器、及び駆動系（フォーカシングアクチュエータ及びトラッキングアクチュエータ）（いずれも図示省略）などを含んで構成されている。前記受光器は複数の受光素子（又は受光領域）を有し、各受光素子（又は受光領域）における受光量に応じた信号が再生信号処理回路２８に出力される。
【００４１】
前記再生信号処理回路２８は、前記受光器の出力信号に基づいて、サーボ信号（フォーカスエラー信号やトラックエラー信号など）、アドレス情報、同期信号、及びＲＦ信号などを取得する。ここで得られたサーボ信号は前記駆動制御回路２６に出力され、アドレス情報はＣＰＵ４０に出力され、同期信号はエンコーダ２５や駆動制御回路２６などに出力される。さらに、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００４２】
前記駆動制御回路２６は、再生信号処理回路２８からのトラックエラー信号に基づいて、トラッキング方向に関する対物レンズの位置ずれを補正するための前記トラッキングアクチュエータの駆動信号を生成する。また、駆動制御回路２６は、再生信号処理回路２８からのフォーカスエラー信号に基づいて、対物レンズのフォーカスずれを補正するための前記フォーカシングアクチュエータの駆動信号を生成する。ここで生成された各駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各駆動信号は、それぞれシークモータ２１及びスピンドルモータ２２に出力される。
【００４３】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００４４】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００４５】
前記レーザ制御回路２４は、前記光ピックアップ装置２３を構成する半導体レーザの発光パワーを制御する。例えば記録の際には、前記書き込み信号、記録条件、及び半導体レーザの発光特性などに基づいて、半導体レーザの駆動信号がレーザ制御回路２４にて生成される。
【００４６】
前記インターフェース３８は、上位装置９０（例えば、パソコン）との双方向の通信インターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００４７】
前記フラッシュメモリ３９には、ＣＰＵ４０にて解読可能なコードで記述された本発明に係るプログラムを含む各種プログラム、記録パワーや記録ストラテジ情報を含む記録条件、及び半導体レーザの発光特性などが格納されている。
【００４８】
前記ＣＰＵ４０は、フラッシュメモリ３９に格納されている上記プログラムに従って前記各部の動作を制御するとともに、制御に必要なデータなどをＲＡＭ４１及びバッファＲＡＭ３４に保存する。
【００４９】
ここで、光ディスクのファイルフォーマットとして、ＯＳＴＡ（Optical Storage Technology Association）が策定した、ユニバーサル・ディスク・フォーマット（Universal Disc Format、以下「ＵＤＦ」という）規格について説明する（例えば、Optical Storage Technology Association、「Universal DiskFormat Specification、Revision 2.50、April 30, 2003」参照）。このＵＤＦは、（１）異なるオペレーティングシステム（ＯＳ）間でのデータ交換を可能にする、（２）各種の光ディスクで共通にデータを扱うことを可能にする、ことを主なコンセプトとして規格化されたものであり、ＤＶＤの一般的なファイルフォーマットとして、広く用いられている。
【００５０】
例えば、図２に示されるように、ルートディレクトリの下にサブディレクトリとしてフォルダ１（Folder1）があり、そのフォルダ１にファイル１（File1）が格納されている場合について説明する。
【００５１】
ルートディレクトリのファイルエントリ（File Entry）によって示されるルートディレクトリ内にフォルダ１のファイル識別記述子（File Identification Descriptor：File ID）が存在する。このフォルダ１のファイル識別記述子にはファイル１のファイルエントリの位置情報が含まれている。そして、ファイル１のファイルエントリには、ファイル１本体（body）の位置情報及び長さ情報などが記述されている割付け記述子（Allocation Descriptor）が存在する。従って、図３に示されるように、ルートディレクトリのファイルエントリ→フォルダ１のファイル識別記述子→ファイル１のファイルエントリ→割付け記述子→ファイル１本体という経路を辿ってファイル１本体にアクセスすることができる。なお、ルートディレクトリのファイルエントリの位置は、予め決められた位置に記録されているＡＶＤＰ（Anchor Volume Descriptor Pointer）から特定することができる。
【００５２】
次に、前記光ディスク１５について説明する。光ディスク１５は、一例として図４に示されるように、その情報領域（Information Zone）が、ディスクの内周側から外周側に向かって、３つの領域（リードイン領域（Lead-in Zone）、データ領域（Data Zone）、及びリードアウト領域（Lead-out Zone））に分けられている。このデータ領域は、内周側から外周側に向かって、３つの領域（Ｄ１、Ｄ２、Ｄ３）から構成されている。なお、実際の光ディスク１５のトラックはスパイラル状であるが、図４では便宜上、トラックを直線状で示し、紙面左側をディスクの内周側、紙面右側をディスクの外周側としている。
【００５３】
そして、リードイン領域とＤ１は書き換え可能領域Ａ、Ｄ２は読取専用領域、Ｄ３とリードアウト領域は書き換え可能領域Ｂとなっている。ここでは、書き換え可能領域Ａ及び書き換え可能領域Ｂは、それぞれＤＶＤ＋ＲＷと同様な物理的性質を有している。従って、光ディスク１５は、ＤＶＤ＋ＲＷのデータ領域の一部を読取専用領域としたハイブリッドディスクである。
【００５４】
前記リードイン領域は、ＤＶＤ＋ＲＷと同様に、図５に示されるように、１２のゾーンから構成されている（例えば、「ＥＣＭＡ−３３７」参照）。すなわち、イニシャル・ゾーン（Initial Zone）、インナ・ディスク・テスト・ゾーン（Inner Disc Test Zone）、インナ・ドライブ・テスト・ゾーン（Inner Drive Test Zone）、ガード・ゾーン１（Guard Zone 1）、リザーブド・ゾーン１（Reserved Zone 1）、リザーブド・ゾーン２（Reserved Zone 2）、インナ・ディスク・アイデンティフィケーション・ゾーン（Inner Disc Identification Zone）、リザーブド・ゾーン３（Reserved Zone 3）、リファレンス・コード・ゾーン（Reference Code Zone）、バッファ・ゾーン１（Buffer Zone 1）、コントロール・データ・ゾーン（Control Data Zone）、バッファ・ゾーン２（Buffer Zone 2）である。
【００５５】
前記インナ・ディスク・アイデンティフィケーション・ゾーンは、１６ＥＣＣブロック（２５６セクタ）からなる領域であり、この領域にはディスク・コントロール・ブロック（Disc Control Block、以下「ＤＣＢ」という）の一種であるフォーマッティング・ディスク・コントロール・ブロック（Formatting Disc Control Block、以下「ＦＤＣＢ」という）が記録される。
【００５６】
このＦＤＣＢは、図６に示されるように１６セクタの情報であり、その最初のセクタは、４バイトのコンテントディスクリプタ（Content Descriptor）、４バイトのアンノウン・コンテントディスクリプタ・アクションズ（Unknown Content Descriptor Actions、以下「ＵＣＤＡ」という）、３２バイトのドライブＩＤ（Drive ID）、及び２００８バイトのコンテントディスクリプタ・スペシフィック（Content Descriptor Specific）から構成されている。続く９セクタは、フォーマッティング・ビットマップ（Formatting bitmap）であり、物理セクタ毎の記録状態が記録される。なお、残る６セクタは予約領域（Reserved）であり、ダミーデータとしてすべて「０」が記録される。
【００５７】
前記コンテントディスクリプタには、そのＤＣＢがＦＤＣＢであることを示す情報として「ＦＤＣ」のアスキーコードなどが記録される。
【００５８】
前記ＵＣＤＡには、光ディスク装置がＦＤＣＢをサポートしていない場合に禁止すべき処理に関する情報が禁止情報としてビットマップ形式で記録される。この禁止情報には、データ領域への記録に関する禁止情報、ブロックデータ情報のユーザへの通知に関する禁止情報、フォーマットに関する禁止情報、及びブロックデータの内容変更に関する禁止情報などがあり、それぞれ予め決められたビットに対応している。
【００５９】
前記ドライブＩＤには、ＦＤＣＢの記録に用いられた光ディスク装置を特定するための情報が記録される。
【００６０】
前記コンテントディスクリプタ・スペシフィックには、図７に示されるように、ＦＤＣＢのアップデート回数（FDCB update count；４バイト）、フォーマットの状態及びモード（Formatting status and mode；４バイト）、最後に記録されたアドレス（Last written address；４バイト、以下「ＬＷＡ」という）、最後にベリファイされたアドレス（Last verified address；４バイト）、ビットマップの先頭アドレス（Bitmap start address；４バイト）、ビットマップ長（Bitmap Length；４バイト）、ディスクＩＤ（Disc ID；３２バイト）、アプリケーション・ディペンデント（Application dependent；３２バイト）、及びダミーデータ（Reserved；１９２０バイト）が記録される。
【００６１】
前記コントロール・データ・ゾーンには、前記データ領域の先頭アドレス及び終了アドレスなどが記録される。
【００６２】
本実施形態では、一例として図８に示されるように、光ディスク１５の製造時に、Ｄ１にデータＡ及びリードアウトとしてのＴＬＯ（テンポラリ・リードアウト）が記録され、Ｄ２に２つのコンテンツ（コンテンツ１及びコンテンツ２）が記録されているものとする。そして、データＡが記録されている領域の終了アドレス（＝ＴＬＯの直前のアドレス）が前記ＦＤＣＢのＬＷＡとして記録されているものとする。この場合には、データ領域の先頭アドレスからＬＷＡまでがアクセスが可能な領域（以下「アクセス可能領域」と略述する）である。すなわち、本実施形態では、ＬＷＡによって示される位置がデータ領域における既記録領域の終了位置である。従って、データＡはアクセス可能領域に含まれるが、コンテンツ１及びコンテンツ２はアクセス可能領域に含まれないこととなる。
【００６３】
そして、一例として図９に示されるように、ルートディレクトリにデータＡのファイル（「ファイルＡ」とする）が格納されているものとする。この場合には、図１０に示されるように、ルートディレクトリのファイルエントリ→ファイルＡのファイル識別記述子→ファイルＡのファイルエントリ→割付け記述子→ファイルＡ本体（データＡ）という経路を辿ってデータＡにアクセスすることができる。このファイル構造に対応したファイル管理情報は、ＵＤＦ規格で規定された領域に記録されている。なお、データＡは、コンテンツ１及びコンテンツ２の初期データであり、コンテンツ１及びコンテンツ２がロード（再生）される際に用いられる。
【００６４】
このようにして、ドライブ装置に対して各コンテンツが存在しないように見せかけている。この状態で光ディスク１５はユーザに配布される。この状態では、ドライブ装置を介してデータＡにはアクセス可能であるが、コンテンツ１及びコンテンツ２にはアクセス不可能である。
【００６５】
次に、上位装置９０から、上述した光ディスク１５におけるアクセス可能領域を変更するコマンド（変更要求；以下、便宜上「領域変更コマンド」と略述する）を受信したときの、光ディスク装置２０の処理（以下「アクセス処理」という）について図１１を用いて説明する。なお、現在、ＤＶＤ＋ＲＷのコマンドセットには、領域変更コマンドは存在していない（規格化されていない）ので、新たに領域変更コマンドを定義した。ここでは、一例として図１２（Ａ）に示されるように、現在オペレーションコード（Operation Code）として使用されていないＤＤhをオペレーションコードとし、バイト（Byte）５〜バイト８にリードアウトが記録される領域の先頭アドレス（Lead Out Start Address）がセットされた１２バイトから構成されるコマンドを領域変更コマンドとしている。すなわち、領域変更コマンドには、リードアウトが記録される領域の先頭アドレス（指定アドレス）が付加されている。なお、バイト１〜バイト４、バイト９〜バイト１１は予約（Reserved）領域としている。
【００６６】
図１１のフローチャートは、ＣＰＵ４０によって実行される一連の処理アルゴリズムに対応している。上位装置９０から領域変更コマンドを受信すると、フラッシュメモリ３９に格納されている図１１のフローチャートに対応するプログラム（以下「アクセス処理プログラム」という）の先頭アドレスがＣＰＵ４０のプログラムカウンタにセットされ、アクセス処理がスタートする。
【００６７】
最初のステップ４０１では、領域変更コマンドが正当な領域変更コマンドであるか否か、すなわち、領域変更コマンドがコンテンツ１及びコンテンツ２に対するアクセスが許可されたユーザ（以下「正規のユーザ」ともいう）によって発行されたものであるか否かを判断する。領域変更コマンドが正規のユーザによって発行されたものであれば、ここでの判断は肯定され、ステップ４０３に移行する。
【００６８】
ここでは、一例として上位装置９０から送られてくるパスワードに基づいて、領域変更コマンドが正規のユーザによって発行されたものであるか否かを判断する。このパスワードは、ユーザが例えばインターネットを介して購入したものである。そして、ユーザが上位装置９０を構成する不図示の入力装置（例えばキーボード）を介してパスワードを入力すると、該パスワードが光ディスク装置２０に通知されるようになっている。なお、ここでの判断のアルゴリズムについては、特に限定するものではなく、現在市販されているアプリケーションソフトなどで行われているものと同等のアルゴリズムであっても良い。また、パスワードは、領域変更コマンドに対して個別に発行されても良いが、一例として図１２（Ｂ）に示されるように、領域変更コマンドにパスワード（Password）が付加されていても良い。
【００６９】
このステップ４０３では、光ディスク１５におけるＴＬＯ（以下、便宜上「第１のＴＬＯ」とする）の位置情報、アクセス可能領域に関する情報（ここでは、リードイン領域に記録されているＬＷＡ）及びファイル管理情報をＲＡＭ４１に保存する。すなわち、変更前の状態を保存しておく。
【００７０】
次のステップ４０５では、第１のＴＬＯの属性をリードアウトからデータに変更する。これにより、図１３（Ａ）に示されるように、データＡとコンテンツ１との間の領域にはダミーデータが記録されていることとなる。すなわち、第１のＴＬＯは無効とされる。
【００７１】
次のステップ４０７では、領域変更コマンドに付加されているリードアウトが記録される領域の先頭アドレス、すなわち、指定アドレスを抽出する。ここでは、コンテンツ２の終了アドレスに続くアドレス（＝書き換え可能領域Ｂの先頭アドレス）が指定アドレスとして抽出されたものとする。
【００７２】
次のステップ４０９では、指定アドレスが０であるか否かを判断する。ここでは、指定アドレスは０でないので、ここでの判断は否定され、ステップ４１１に移行する。
【００７３】
このステップ４１１では、指定アドレスを先頭アドレスとする領域にＴＬＯ（以下、便宜上「第２のＴＬＯ」とする）を記録する。ここでは、図１３（Ｂ）に示されるように、書き換え可能領域Ｂの先頭領域に第２のＴＬＯが記録される。
【００７４】
次のステップ４１３では、アクセス可能領域の終了アドレスを、指定アドレスの直前のアドレスに変更する。ここでは、図１３（Ｃ）に示されるように、第２のＴＬＯの直前のアドレスを新たなＬＷＡとする。すなわち、ＦＤＣＢにおけるＬＷＡを第２のＴＬＯの直前のアドレスに書き換える。これにより、コンテンツ１及びコンテンツ２がアクセス可能領域内に更に含まれることとなり、データＡと同様に、コンテンツ１及びコンテンツ２にもアクセスできるようになる。すなわち、書き換え可能領域であるＤ１と読取専用領域であるＤ２とからなる領域が変更後の新たなアクセス可能領域となる。
【００７５】
次のステップ４１９では、変更後の新たなアクセス可能領域内に含まれることとなるファイルのファイル管理情報を作成する。ここでは、コンテンツ１及びコンテンツ２をそれぞれファイル化し、一例として図１４に示されるように、コンテンツ１のファイル（「ファイルＣ１」とする）及びコンテンツ２のファイル（「ファイルＣ２」とする）を、それぞれルートディレクトリに格納するものとする。この場合には、図１５に示されるように、ルートディレクトリ内にファイルＡのファイル識別記述子、ファイルＣ１のファイル識別記述子、及びファイルＣ２のファイル識別記述子が記録される。そして、ファイルＣ１のファイルエントリ、及びファイルＣ２のファイルエントリなどが所定位置に記録される。これにより、ルートディレクトリのファイルエントリ→ファイルＣ１のファイル識別記述子→ファイルＣ１のファイルエントリ→割付け記述子→ファイルＣ１本体（コンテンツ１）という経路を辿ってコンテンツ１にアクセスすることができる。また、ルートディレクトリのファイルエントリ→ファイルＣ２のファイル識別記述子→ファイルＣ２のファイルエントリ→割付け記述子→ファイルＣ２本体（コンテンツ２）という経路を辿ってコンテンツ２にアクセスすることができる。
【００７６】
次のステップ４２１では、上記ステップ４１９で作成されたファイル管理情報を光ディスク１５におけるＵＤＦ規格で規定された領域に記録する。
【００７７】
次のステップ４２３では、アクセス可能領域の変更完了を上位装置９０に通知する。これにより、ユーザは、上位装置９０を介してコンテンツ１及びコンテンツ２へのアクセスが可能となる。
【００７８】
次のステップ４２５では、上位装置９０からアクセス要求があるか否かを判断する。アクセス要求があれば、ここでの判断は肯定され、ステップ４２７に移行する。
【００７９】
このステップ４２７では、アクセス要求に応じた処理（例えば、コンテンツ１及びコンテンツ２のロード（再生）、データＡの書き換えなど）を行う。
【００８０】
次のステップ４２９では、光ディスク１５の排出要求があるか否かを判断する。光ディスク１５の排出要求がなければ、ここでの判断は否定され、前記ステップ４２５に戻る。一方、光ディスク１５の排出要求があれば、ここでの判断は肯定され、ステップ４３１に移行する。
【００８１】
このステップ４３１では、変更後のアクセス可能領域に関する情報及びファイル管理情報を変更前のアクセス可能領域に関する情報及びファイル管理情報に戻す。
【００８２】
次のステップ４３３では、ＴＬＯを元の位置に記録する。ここでは、第１のＴＬＯが記録されていた領域のダミーデータの属性をリードアウトに変更する。
【００８３】
次のステップ４３５では、光ディスク１５の排出を許可する。これにより、不図示の排出駆動系を介して光ディスク１５が排出される。そして、アクセス処理を終了する。
【００８４】
なお、上記ステップ４０１において、領域変更コマンドが正規のユーザによって発行されたものでなければ、ここでの判断は否定され、ステップ４４１に移行する。
【００８５】
このステップ４４１では、アクセス可能領域を変更することができないことを上位装置９０に通知する。そして、アクセス処理を終了する。
【００８６】
また、上記ステップ４０９において、指定アドレスが０であれば、ステップ４０９での判断は肯定され、ステップ４１５に移行する。
【００８７】
このステップ４１５では、データ領域内の未記録領域にダミーデータを記録する。
【００８８】
次のステップ４１７では、アクセス可能領域の終了アドレスを、リードアウト領域の直前のアドレスに変更する。ここでは、リードアウト領域の直前のアドレスを新たなＬＷＡとする。すなわち、ＦＤＣＢにおけるＬＷＡをリードアウト領域の直前のアドレスに書き換える。これにより、図１３（Ｄ）に示されるように、データ領域の全領域が変更後の新たなアクセス可能領域となる。そして、前記ステップ４１９に移行する。
【００８９】
また、上記ステップ４２５において、アクセス要求がなければ、ステップ４２５での判断は否定され、ステップ４２９に移行する。
【００９０】
以上の説明から明らかなように、本実施形態に係る光ディスク装置２０では、ＣＰＵ４０及び該ＣＰＵ４０によって実行されるプログラムとによって、制御装置及び処理装置が実現されている。すなわち、図１１のステップ４０３〜４２１、ステップ４３１及び４３３によって制御装置が実現され、ステップ４２７によって処理装置が実現されている。
【００９１】
なお、ＣＰＵ４０によるプログラムに従う処理によって実現した各装置の少なくとも一部をハードウェアによって構成することとしても良いし、あるいは全てをハードウェアによって構成することとしても良い。
【００９２】
また、本実施形態では、フラッシュメモリ３９に格納されているプログラムのうち、前記アクセス処理プログラムによって、本発明のプログラムが構成されている。すなわち、図８のステップ４１１〜４１７の処理に対応するプログラムによって変更する手順が、ステップ４１９に対応するプログラムによって作成する手順が、ステップ４２１に対応するプログラムによってファイル管理情報をデータ領域に記録する手順が、ステップ４０５に対応するプログラムによって無効とする手順が、ステップ４３１及び４３３に対応するプログラムによって戻す手順が、それぞれ構成されている。
【００９３】
そして、上記アクセス処理において本発明に係る処理方法が実施されている。すなわち、図８のステップ４０３〜４１７の処理によって明らかにする工程が、ステップ４１９によって作成する工程が、ステップ４２１によってファイル管理情報をデータ領域に記録する工程が、それぞれ実施されている。また、上記光ディスク１５を製造する際に、本発明に係る処理方法における見せかける工程が実施されている。
【００９４】
以上説明したように、本実施形態に係る光ディスク装置２０によると、読取専用領域に記録されているコンテンツが存在しないように見せかけて製造された光ディスク１５に対して、上位装置９０から読取専用領域以降であって、リードアウトが記録される領域の先頭アドレス（指定アドレス）が付加された領域変更コマンド（変更要求）を受信すると、その領域変更コマンドが正規のユーザによって発行されたものであれば、読取専用領域の前方に記録されているＴＬＯ（リードアウト）の属性をデータに変更して無効とするとともに、指定アドレスを先頭アドレスとする領域にＴＬＯを記録し、リードイン領域に記録されているＬＷＡ（既記録領域の終了位置、アクセス可能領域の終了アドレス）を、指定アドレスの直前のアドレスに変更している。これにより、読取専用領域はアクセス可能領域に変更される。従って、結果として許可されたユーザのみが光ディスクに記録されているコンテンツにアクセスすることが可能となる。
【００９５】
そして、アクセス可能領域の変更後、新たなアクセス可能領域内に含まれることとなった読取専用領域に記録されている各コンテンツをそれぞれファイル化し、ファイル管理情報を作成するとともに、そのファイル管理情報を光ディスクに記録している。これにより、上位装置９０から読取専用領域に記録されているコンテンツ１及びコンテンツ２にアクセスすることが可能となる。従って、結果として許可されたユーザのみが上位装置９０から光ディスクに記録されているコンテンツにアクセスすることが可能となる。
【００９６】
また、光ディスク１５の排出要求があると、アクセス可能領域に関する情報、ファイル管理情報、及びＴＬＯを変更前の状態に戻しているため、アクセス処理終了後に、光ディスク１５を他の光ディスクにコピーしようとしても、データＡのみがコピーされることとなり、更にコンテンツのコピーを禁止することが可能となる。
【００９７】
なお、上記実施形態では、指定アドレスが０のときにリードアウト領域の直前のアドレスを新たなＬＷＡとする場合について説明したが、これに限定されるものではない。例えば、データ領域に含まれないアドレス（例えば、ＦＦＦＦＦＦＦＦh）が指定アドレスとしてセットされているときに、リードアウト領域の直前のアドレスを新たなＬＷＡとしてもよい。
【００９８】
また、上記実施形態では、アクセス処理において、第１のＴＬＯの属性をデータに変更した後、第２のＴＬＯを記録する場合について説明したが、これに限らず、第１のＴＬＯの属性をデータに変更する前に、第２のＴＬＯを記録しても良い。
【００９９】
また、上記実施形態では、領域変更コマンドに付加された指定アドレスに応じてアクセス可能領域を変更する場合について説明したが、これに限らず、例えば指定アドレスが予め設定されていても良い。この場合には、領域変更コマンドに指定アドレスが付加されなくても良い。また、指定アドレスに関する情報が光ディスク１５に予め記録されていても良い。
【０１００】
また、上記実施形態では、光ディスク１５が排出される際に、アクセス可能領域に関する情報、ファイル管理情報、及びＴＬＯを変更前の状態に戻す場合について説明したが、コンテンツの重要度によっては、光ディスク１５が排出される際に、アクセス可能領域に関する情報、ファイル管理情報、及びＴＬＯを変更前の状態に戻さなくても良い。この場合には、図１６のフローチャートに示されるように、図１１のフローチャートにおけるステップ４０３、ステップ４３１、及びステップ４３３は削除されることとなる。
【０１０１】
また、上記実施形態では、領域変更コマンドが許可されたユーザによって発行されたものであるか否かを光ディスク装置２０側で判断する場合について説明したが、この判断を上位装置９０側で行っても良い。すなわち、上位装置９０側で領域変更コマンドが正規のユーザによって発行されたものであることを確認したときのみ光ディスク装置２０に領域変更コマンドを送信しても良い。この場合には、図１７のフローチャートに示されるように、図１１のフローチャートにおけるステップ４０１及びステップ４４１は削除されることとなる。また、この場合にも、コンテンツの重要度によっては、光ディスク１５が排出される際に、アクセス可能領域に関する情報、ファイル管理情報、及びＴＬＯを変更前の状態に戻さなくても良い。
【０１０２】
また、上記実施形態では、パスワードに基づいて領域変更コマンドが正規のユーザによって発行されたものであるか否かを判断する場合について説明したが、これに限定されるものではない。例えば、キー（変更キー）に基づいて判断しても良い。このキー（変更キー）についても、例えばインターネットを介してユーザが購入しても良い。
【０１０３】
また、上記実施形態では、光ディスク１５がハイブリッドディスクである場合について説明したが、本発明がこれに限定されるものではなく、データ領域の全領域が書き換え可能な領域であっても良い。すなわち、コンテンツ１及びコンテンツ２が記録されているＤ２が読取専用領域ではなく、書き換え可能な領域であっても良い。
【０１０４】
また、上記実施形態では、コンテンツ１とコンテンツ２とが連続して記録されている場合について説明したが、例えば図１８（Ａ）に示されるように、コンテンツ１とコンテンツ２との間に、少なくともＴＬＯを記録することが可能な大きさの書き換え可能領域Ｃを設けても良い。この場合には、図１８（Ｂ）に示されるように、コンテンツ１のみが新たなアクセス可能領域に含まれるようにすることが可能である。そこで、例えば、コンテンツ１を基本機能版、コンテンツ２を拡張機能版とし、基本機能版のみを必要とするユーザに対しては、図１８（Ｂ）に示されるように、コンテンツ１のみが新たなアクセス可能領域に含まれるようにし、拡張機能版も必要なユーザに対しては、図１８（Ｃ）に示されるように、コンテンツ１とコンテンツ２とが新たなアクセス可能領域に含まれるようにすることができる。なお、基本機能版のみのユーザか拡張機能版も必要なユーザかは、例えばパスワードで識別するようにしても良い。
【０１０５】
また、上記実施形態では、第１のＴＬＯの属性をリードアウトからデータに変更することによって、第１のＴＬＯを無効とする場合について説明したが、これに限らず、所定のデータで第１のＴＬＯを上書きしても良い。要するに、何らかのデータが記録されていれば良い。
【０１０６】
また、上記実施形態では、領域変更コマンドのオペレーションコードがＤＤhの場合について説明したが、これに限定されるものではない。現在使用されていないオペレーションコードであれば良い。要するに、光ディスク装置２０において領域変更コマンドであることが認識できれば良い。
【０１０７】
また、上記実施形態では、領域変更コマンドが１２バイトで構成される場合について説明したが、これに限定されるものではない。
【０１０８】
また、上記実施形態では、領域変更コマンドのバイト５〜バイト８に指定アドレスがセットされる場合について説明したが、これに限定されるものではなく、バイト５〜バイト８と異なる位置に指定アドレスがセットされても良い。要するに、光ディスク装置２０において指定アドレスが正しく抽出できれば良い。
【０１０９】
また、上記実施形態では、領域変更コマンドに指定アドレスとしてリードアウトが記録される領域の先頭アドレスがセットされる場合について説明したが、これに限らず、例えばリードアウトが記録される領域の直前のアドレスがセットされても良い。要するに、新たなアクセス可能領域を特定することができる情報が、領域変更コマンドに付加されていれば良い。但し、この場合には、図１１のステップ４１１及び４１３での処理を変更する必要がある。
【０１１０】
また、一例として図１９（Ａ）に示されるように、光ディスク１５のＤ２（読取専用領域）に映画情報（ビデオデータ）を記録し、Ｄ１にその評価用ダイジェスト版及びアクセス可能領域を変更するためのキーを購入するプログラム（以下「キー購入プログラム」という）を記録しても良い。この場合には、例えば光ディスク１５はビデオショップなどで無料サンプルとして配布され、評価用ダイジェスト版を見て興味を持ったユーザが、キー購入プログラムを起動し、例えばインターネットを介してキーを購入する。そして、そのキーを上記実施形態におけるパスワードと同様に正規のユーザであることの証明に用いて、Ｄ２をアクセス可能領域に変更する。これにより、キーを購入したユーザは映画情報を見ることができるようになる。すなわち、キーの購入代金が映画情報の代金となる。同様に、一例として図１９（Ｂ）に示されるように、Ｄ２に音楽情報（アルバム、コンサート）を記録し、Ｄ１にそのサンプル版（試聴版）及びキー購入プログラムを記録しても良い。この場合も上述した映画情報と同様にして、キーを購入したユーザは音楽情報を聞く（又は見る）ことができるようになる。さらに、Ｄ２に小説などの書籍情報を記録し、Ｄ１にそのあらすじ及びキー購入プログラムを記録しても良い。
【０１１１】
また、上記実施形態において、例えば、領域変更コマンドが正規のユーザによって発行されたものでないときに、データＡの全部あるいは一部をアクセス可能領域から除外しても良い。
【０１１２】
また、アクセス可能領域を移動しても良い。例えば、前述した図１９（Ａ）や図１９（Ｂ）において、アクセス可能領域を変更する際に、Ｄ２のみをアクセス可能領域としても良い。
【０１１３】
また、上記実施形態において、例えば、コンテンツの利用期間が制限されている場合に、アクセス可能領域を最初に変更してから予め設定されている利用期間が経過すると、アクセス可能領域の変更を禁止しても良い。この場合には、新たにパスワードを購入することによって、アクセス可能領域の変更を許可しても良い。
【０１１４】
また、上記実施形態において、例えば、コンテンツの利用回数が制限されている場合に、アクセス可能領域を最初に変更してからの変更回数が予め設定されている回数に達すると、アクセス可能領域の変更を禁止しても良い。この場合には、新たにパスワードを購入することによって、アクセス可能領域の変更を許可しても良い。
【０１１５】
また、上記実施形態では、領域変更コマンドを受信してからアクセス処理が行われる場合について説明したが、本発明がこれに限定されるものではない。例えば、上位装置９０からアクセス可能領域以外の領域へのアクセスがあったときに、前記アクセス処理が行われても良い。
【０１１６】
また、上記実施形態では、リードアウトとして、テンポラリ・リードアウトを用いる場合について説明したが、通常のリードアウトであっても良い。
【０１１７】
また、上記実施形態では、本発明に係るプログラムは、フラッシュメモリ３９に記録されているが、他の記録媒体（ＣＤ、光磁気ディスク、ＤＶＤ、メモリカード、ＵＳＢメモリ、フレキシブルディスク等）に記録されていても良い。この場合には、各記録媒体に対応する再生装置（又は専用インターフェース）を介して本発明に係るプログラムをフラッシュメモリ３９にロードすることとなる。また、ネットワーク（ＬＡＮ、イントラネット、インターネットなど）を介して本発明に係るプログラムをフラッシュメモリ３９に転送しても良い。要するに、本発明に係るプログラムがフラッシュメモリ３９に格納されていれば良い。
【０１１８】
また、上記実施形態では、光ディスク１５がＤＶＤ系の光ディスクである場合について説明したが、本発明がこれに限定されるものではなく、例えば約４０５ｎｍの波長の光に対応した次世代の情報記録媒体であっても良い。
【０１１９】
また、上記実施形態では、光ディスク１５が１つの記録層を有する場合について説明したが、これに限らず、複数の記録層を有していても良い。この場合に、ＣＤの規格に準拠した記録層とＤＶＤの規格に準拠した記録層とが混在しても良い。そして、複数の記録層のうちの少なくとも一つの記録層に対して前述したアクセス処理が行なわれても良い。
【０１２０】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。このときには、複数種類の光ディスクのうち少なくとも１種類の光ディスクで前述したアクセス処理が行なわれても良い。
【産業上の利用可能性】
【０１２１】
以上説明したように、本発明の処理方法によれば、許可されたユーザのみが光ディスクに記録されているコンテンツにアクセスできることを可能とするのに適している。また、本発明の光ディスク装置によれば、許可されたユーザのみが光ディスクに記録されているコンテンツにアクセスすることを可能とするのに適している。また、本発明のプログラム及び記憶媒体によれば、光ディスク装置に、許可されたユーザのみが光ディスクに記録されているコンテンツにアクセスすることができるようにさせるのに適している。
【図面の簡単な説明】
【０１２２】
【図１】本発明の一実施形態に係る光ディスク装置の構成を示すブロック図である。
【図２】ＵＤＦにおけるファイル構造を説明するための図（その１）である。
【図３】ＵＤＦにおけるファイル構造を説明するための図（その２）である。
【図４】図１の光ディスクにおける情報領域を説明するための図である。
【図５】図４のリードイン領域を説明するための図である。
【図６】図５におけるインナ・ディスク・アイデンティフィケーション・ゾーンに記録されるＦＤＣＢを説明するための図である。
【図７】図６におけるコンテントディスクリプタ・スペシフィックの詳細を説明するための図である。
【図８】変更前のアクセス可能領域を説明するための図である。
【図９】図８に対応するファイル構造を説明するための図（その１）である。
【図１０】図８に対応するファイル構造を説明するための図（その２）である。
【図１１】アクセス処理を説明するためのフローチャートである。
【図１２】図１２（Ａ）及び図１２（Ｂ）は、それぞれ新たに定義された領域変更コマンドを説明するための図である。
【図１３】図１３（Ａ）〜図１３（Ｄ）は、それぞれアクセス処理を説明するための図である。
【図１４】アクセス可能領域の変更後におけるファイル構造を説明するための図（その１）である。
【図１５】アクセス可能領域の変更後におけるファイル構造を説明するための図（その２）である。
【図１６】図１１のフローチャートの変形例１である。
【図１７】図１１のフローチャートの変形例２である。
【図１８】図１８（Ａ）〜図１８（Ｃ）は、それぞれ読取専用領域が２つの場合のアクセス処理を説明するための図である。
【図１９】図１９（Ａ）及び図１９（Ｂ）は、それぞれコンテンツが映画情報及び音楽情報のときの配布形態を説明するための図である。
【図２０】ＴＬＯを説明するための図である。
【符号の説明】
【０１２３】
１５…光ディスク、２０…光ディスク装置、３９…フラッシュメモリ（記録媒体）、４０…ＣＰＵ（制御装置、処理装置）。
【図１】
2006079763.tif 000003
【図２】
2006079763.tif 000004
【図３】
2006079763.tif 000005
【図４】
2006079763.tif 000006
【図５】
2006079763.tif 000007
【図６】
2006079763.tif 000008
【図７】
2006079763.tif 000009
【図８】
2006079763.tif 000010
【図９】
2006079763.tif 000011
【図１０】
2006079763.tif 000012
【図１１】
2006079763.tif 000013
【図１２】
2006079763.tif 000014
【図１３】
2006079763.tif 000015
【図１４】
2006079763.tif 000016
【図１５】
2006079763.tif 000017
【図１６】
2006079763.tif 000018
【図１７】
2006079763.tif 000019
【図１８】
2006079763.tif 000020
【図１９】
2006079763.tif 000021
【図２０】
2006079763.tif 000022